(57)【要約】【課題】  犬，猫など小動物のリラックス度及び興奮・緊張度などの情緒、思いを簡単に飼い主が知ることができず、人間に対しての心の健康測定器を提供していく中で、ユーザーから小動物の感情を簡単に知ることができる装置が欲しいいう一般ユーザーから要望があった。【解決手段】  前記目的を達成するために本発明の装置は、真ん中で絶縁するため、足裏を半分に切断するような形状をした電極１に小動物の足を載せて微弱電流を通して刺激し、生体ポテンシャルとして変換し、小動物のリラックス度及び興奮・緊張度として演算し、その演算結果と小動物の様々な情報（種類、推定年齢、特徴）などをディスプレイ４に表示することができ、パソコンと接続してデータ管理及び保存ができるようにした。また、測定精度を向上させるため、足の大きさによって、測定条件を設定できるようにした。【選択図】      図１
2010187631.tif 000002
【特許請求の範囲】
【請求項１】
犬、猫など小動物のリラックス度及び興奮・緊張度を計測する装置であって、電極１と、小動物の足の大きさにより測定条件を設定できる切替ツマミ２と、測定を開始するスタートボタン３と、小動物の様々な情報や計測中及び結果の表示等をするディスプレイ４と、装置を操作する操作キー５と、電源を供給するＡＣアダプタ接続端子６と、パソコンと接続するためのＰＣ接続端子７と、装置を軽装するカバー８と、携帯で使用することも可能にする電池ＢＯＸ９と、装置を制御する該カバー８内に内蔵された制御部１０と、電源スイッチ１１から構成する小動物のリラックス度及び興奮・緊張度を計測する装置。
【請求項２】
犬、猫など小動物のリラックス度及び興奮・緊張度を計測する装置であって、電極１に小動物の足を載せて微弱電流を通して刺激する手段と、その電極間の生体ポテンシャルとして変換し、小動物のリラックス度及び興奮・緊張度として演算する手段と、その演算結果と小動物の様々な情報などをディスプレイ４に表示する手段とを備えたことを特徴とする小動物のリラックス度及び興奮・緊張度を計測する装置。
【請求項３】
犬、猫など小動物のリラックス度及び興奮・緊張度を計測する装置であって、電極１に小動物の足を載せて微弱電流を通して刺激する工程と、その電極間の生体ポテンシャルとして変換し、小動物のリラックス度及び興奮・緊張度として演算する工程と、その演算結果と小動物の様々な情報などをディスプレイ４に表示する工程とを備えたことを特徴とする小動物のリラックス度及び興奮・緊張度を計測する方法。
【請求項４】
犬、猫など小動物のリラックス度及び興奮・緊張度計測プログラムを記録した記録媒体であって、電極１に小動物の足を載せて、制御部１０に組み込まれたプログラムによって、微弱電流を通して刺激し、その電極間の生体ポテンシャルとして変換し、小動物のリラックス度及び興奮・緊張度として演算する。次いで、その演算結果と小動物の様々な情報などをディスプレイ４に表示する工程を特徴とする小動物のリラックス度及び興奮・緊張度計測プログラムを記録した記録媒体。
【請求項５】
請求項１の犬、猫など小動物のリラックス度及び興奮・緊張度を計測する装置の切替ツマミ２は、計測精度を向上させるために、足の大きさにより測定条件を大型、中型、小型と３段階の設定ができるようになっていることを特徴とした切替ツマミ。
【請求項６】
請求項１の犬、猫など小動物のリラックス度及び興奮・緊張度を計測する装置の電極１は、小動物の片足を載せて微弱電流を通して刺激するため、足裏を半分に切断するように、真ん中で絶縁することができる構造になっていることを特徴とした電極。
【請求項７】
請求項１の犬、猫など小動物のリラックス度及び興奮・緊張度を計測する装置の電源の供給は、コンセントに挿入したＡＣアダプタをＡＣアダプタ接続端子６に差し込み使用、または、電池ＢＯＸ９に電池を挿入して使用することもでき、使用用途によって選択することができることを特徴としている。
【請求項８】
請求項１の犬、猫など小動物のリラックス度及び興奮・緊張度を計測する装置のＰＣ接続端子７は、ＵＳＢケーブル等で接続することで、保存されたデータをパソコンに移し、データ管理及び保存することができる構造になっていることを特徴としたＰＣ接続端子。
【請求項９】
請求項４の犬、猫など小動物のリラックス度及び興奮・緊張度計測プログラムを記録した記録媒体を組み込んだ装置の制御部１０は、電極１に小動物の足を載せ、スタートボタン３を押すことでプログラムが起動し、該電極１に１〜１５Ｈｚで０．００５〜０．０１ｍＡの微弱電流を通して刺激する。次いで、生体ポテンシャルとして変換し、小動物のリラックス度及び興奮・緊張度として演算する制御部。
【請求項１０】
請求項４の犬、猫など小動物のリラックス度及び興奮・緊張度計測プログラムを記録した記録媒体を組み込んだ装置の制御部１０は、小動物のリラックス度及び興奮・緊張度として演算する機能の他に、ディスプレイ４に表示された手順に従い、操作キー５を操作することで、小動物の様々な情報（種類、推定年齢、特徴）なども表示できることを特徴とした制御部。
【請求項１１】
犬、猫など小動物のリラックス度及び興奮・緊張度を計測する装置であって、ＰＣ接続端子７にＵＳＢケーブル等でパソコンと接続することによって、制御部１０に組み込まれたプログラムを新しいプログラムにバージョンアップすることができ、販売後のメンテナンスも容易に可能とすることを特徴とした小動物のリラックス度及び興奮・緊張度を計測する装置。
【発明の詳細な説明】
【技術分野】
【０００１】
本発明は犬、猫など小動物のリラックス度及び興奮・緊張度を計測する装置に関するものである。
【背景技術】
【０００２】
近年、リストラの不安、年棒制度など成果主義の導入、終身雇用制度の崩壊など、雇用環境の急激な変化は、労働者のストレスを増幅させ、労働者の約７０％が強い不安・悩み・ストレスがある状況の中で、癒し効果を求めるため、年々、ペットを飼う人が増加している。
【０００３】
今後、団塊の世代が定年退職を迎え、癒しを求める傾向は急速に増加すると考えられている。一方、近年、ペットは病気の症状も人間に似かよってきており、また、室内で飼われることが多く、飼い主はペットが何を思っているかを知ることが必要になってくる。
【０００４】
前記の通り、今後のペット市場は急激に増大するものと推測され、必ずやペット（犬、猫など小動物）のリラックス度及び興奮・緊張度などの感情、思いを計測する装置は、市場で強く望まれるものと考える。
【０００５】
従来、人体のストレス、興奮・緊張度を計測する装置として、一酸化窒素合成酵素活性を測定し、その測定値を指標とした方法（特開平０８−２６２０２５）、電極間に微弱な電流を流して皮膚の見かけ上の抵抗変化を調べる方法（特開平２００３−１９１２２、特開平２００５−０２１４１４）なども開示されているが、ペットのストレスを計測する装置はない。また、電極間に微弱な電流を流して皮膚の見かけ上の抵抗変化を調べる装置の原理は、１９８０年代に論文発表が数多く発表されている。
【０００６】
本発明者らは、総合的に健康を測定する装置（特開２００７−０５４３５４）、総合的に健康を測定する小型装置（特開２００７−０６１１３２）、総合的に健康を測定する装置のヘッド固定電極センサー（特開２００７−１５１９０３）、匂いおしぼり機能付健康測定装置（特開２００７−１８５２７７）、犬・猫など小動物のストレス測定装置（特開２００７−２５２４８０）を出願している。
【非特許文献１】金井寛、臨床検査ｖｏｌ．２６、ｎｏ．４、１９８２年４月
【非特許文献２】William A. Tiller, American Journal of Acupuncture, Vol.15, No1, January-March 1987
【非特許文献３】藤田拓男、痛みと臨床ｖｏｌ．２、ｎｏ．１、２００２年
【非特許文献４】財団法人機械システム振興協会、ストレス計測技術の安全対策への適用可能性に関する調査研究報告書、２００４年３月
【発明の開示】
【発明が解決しようとする課題】
【０００７】
人体のストレス、興奮・緊張度を計測する装置は、数多くあるがペット（犬、猫など小動物）のストレス、興奮・緊張度を計測する装置はない。将来、人間の病気の症状と似かよってくると推察されるペット（犬、猫など小動物）のリラックス度及び興奮・緊張度などの情緒、思いを飼い主が知りたいと思う状況がくるものと考える。
【０００８】
現状として、犬、猫など小動物のリラックス度及び興奮・緊張度などの情緒、思いを簡単に飼い主が知ることができず、人間に対しての心の健康測定器を提供していく中で、ユーザーから小動物の感情を簡単に知ることができる装置が欲しいいう一般ユーザーから要望があった。
【課題を解決するための手段】
【０００９】
前記目的を達成するために本発明の装置は、真ん中で絶縁するため、足裏を半分に切断するような形状をした電極１に小動物の足を載せ、スタートボタン３を押すことで制御部１０に組み込んだプログラムが起動し、該電極１に１〜１５Ｈｚで０．００５〜０．０１ｍＡの微弱電流を通して刺激する。ついで、独自のアルゴリズムで生体ポテンシャルとして変換し、小動物のリラックス度及び興奮・緊張度として演算し、その演算結果と小動物の様々な情報（種類、推定年齢、特徴）などをディスプレイ４に表示することができ、パソコンと接続してデータ管理及び保存ができるようにした。また、測定精度を向上させるため、足の大きさによって、測定条件を設定できるようにした。
【発明の効果】
【００１０】
本発明の犬、猫など小動物のリラックス度及び興奮・緊張度を計測する装置は、上述の手段を講じることで、以下に記載されるような効果を奏する。
【００１１】
本発明の装置を使用し、簡単にペット（犬、猫など小動物）のリラックス度及び興奮・緊張度を計測することで、ペットの飼い主は、ペットの情緒、思いを知ることができ、健康管理の指標として用いることが可能とする。
【００１２】
ペット（犬、猫など小動物）のリラックス度及び興奮・緊張度を計測することで、ペットの飼い主に計測結果を踏まえ、今後のアドバイス・コメントも表示させることもできる。
【００１３】
ペット（犬、猫など小動物）のリラックス度及び興奮・緊張度を計測する装置の切替ツマミ２の機能を付け、足の大きさにより測定条件を大型、中型、小型と３段階の設定ができるようにすることで、計測精度を向上させることができる。
【００１４】
電極１の形状を犬の足形とし、足裏を半分に切断するように、真ん中で絶縁する構造とすることで、両足を電極に載せて測定する必要がなく、片足だけを載せて測定することで、ペット（犬、猫など小動物）及び測定をお手伝いする作業員の作業が容易となる。
【００１５】
犬、猫など小動物のリラックス度及び興奮・緊張度を計測する装置は、コンセントに挿入したＡＣアダプタをＡＣアダプタ接続端子６に差し込み使用できるし、また、電池ＢＯＸ９に電池を挿入して、野外などで携帯用として使用することもでき、使用用途が拡大する。
【００１６】
犬、猫など小動物のリラックス度及び興奮・緊張度を計測する装置のＰＣ接続端子７に、ＵＳＢケーブル等を接続することで、保存されたデータをパソコンに移し、飼い主がペットの測定データを管理し、ペットの情緒、思い、体調を時系列的に知ることができる。また、その測定データを保存することもできる。
【００１７】
前記ＰＣ接続端子７に、ＵＳＢケーブル等でパソコンと接続することによって、制御部１０に組み込まれたプログラムを新しいプログラムにバージョンアップすることができ、販売後のメンテナンスも容易に可能とし、ユーザーへのサービスを向上させることができる。
【００１８】
小動物のリラックス度及び興奮・緊張度として演算する機能の他に、ディスプレイ４に表示された手順に従い、操作キー５を操作することで、小動物の様々な情報（種類、推定年齢、特徴）なども表示でき、ユーザーに知識・情報を提供することができる。
【発明を実施するための最良の形態】
【００１９】
本発明の犬、猫など小動物のリラックス度及び興奮・緊張度を計測する装置を図面に基づき具体的に説明する。図1は本発明の装置を示したものである。１は電極、２は切替ツマミ、３はスタートボタン、４はディスプレイ、５は操作キー、６はＡＣアダプタ接続端子、７はＰＣ接続端子、８はカバー、９は電池ＢＯＸ、１０は制御部である。
【００２０】
前記電極１に前側の片足を飼い主及び測定する人が「お手」などと言い、載せるように誘導し、載せた時点でリラックス度及び興奮・緊張度を計測する。
【実施例】
【００２１】
装置電源の供給は、ＡＣアダプタをＡＣアダプタ接続端子６に接続する。また、コンセントがない場所などで装置を動作したい場合は、電池ＢＯＸ９に乾電池を挿入することでも可能である。
【００２２】
まず、電源スイッチ１１を投入し、タイトル画面を表示させる。次いで、測定をするか、情報を見るかを操作キーで選定する。
【００２３】
測定をしたい場合、「測定をする」を選択する。次いで、ペットの足の大きさを切替ツマミ２で大型、中型、小型の中から設定する。その後、電極１に犬、猫など小動物の肉球に接触させ、スタートボタンを押す。すると、自動的にキャリブレーションを開始する。
【００２４】
キャリブレーションが終了すると、前記電極１に１〜１５Ｈｚで０．００５〜０．０１ｍＡの微弱電流がペットの表皮と真皮に流れ、その電気信号を生体ポテンシャルとして変換後、独自のペット（犬、猫など小動物）用のアルゴリズムによって、リラックス度及び興奮・緊張度を演算する。
【００２５】
その演算結果と今後のアドバイス・コメントなどを判りやすくディスプレイ４に表示される。演算結果のデータは、ＰＣ接続端子７にＵＳＢケーブル等を接続し、パソコンに移し、飼い主がペットの測定データを管理し、ペットの情緒、思い、体調を時系列的に知ることができる。演算結果のデータは、保存することもできる。
【００２６】
ペットの情報を見たい場合は、タイトル画面で「情報を見る」を選択する。画面の指示に従い、操作キー５によって操作することで、犬、猫などの小動物の様々な情報（種類、推定年齢、特徴）などを見ることができる。
【図面の簡単な説明】
【００２７】
【図１】本発明の装置の正面図である。
【符号の説明】
【００２８】
１  電極
２  切替ツマミ
３  スタートボタン
４  ディスプレイ
５  操作キー
６  ＡＣアダプタ接続端子
７  ＰＣ接続端子
８  カバー
９  電池ＢＯＸ
１０  制御部
１１  電源スイッチ
【図１】
2010187631.tif 000003